(57)【要約】【課題】取付金物のサッシ枠側取付端部が侵入犯によって容易に破壊されない、高い防犯性を有する遮蔽体の取付装置を提供する。【解決手段】建物の窓開口部Ｏに設置されるサッシ枠１の室外側に遮蔽体２を取り付けるための遮蔽体の取付装置であって、サッシ枠１を形成する左右各縦枠４の室外側端部に、取付用凹溝１０を形成した凹溝形成部材４ａを固着し、凹溝形成部材４ａの取付用凹溝１０には、一端側取付部が遮蔽体９の枠部に固着される取付金物の他端側取付端部を前記凹溝１０の一方の内壁面に接するように挿入し、この挿入した取付金物の他端側取付端部と取付用凹溝１０の他方の内壁面との間に金属製のクサビ板１１をかち込むことによって、取付金物の他端側取付端部をサッシ枠１の室外側端部に取り付ける。【選択図】図１
2010261210.tif 000002
【特許請求の範囲】
【請求項１】
建物の窓開口部に設置されるサッシ枠の室外側に面格子などの遮蔽体を取り付けるための遮蔽体取付装置であって、サッシ枠を形成する左右各縦枠の室外側端部に、取付用凹溝を形成した凹溝形成部材を固着し、この凹溝形成部材の取付用凹溝には、一端側取付部が遮蔽体の枠部に固着される取付金物の他端側取付端部を前記凹溝の一方の内壁面に接するように挿入し、この挿入した取付金物の他端側取付端部と前記凹溝の他方の内壁面との間に金属製のクサビ板をかち込むことによって、取付金物の他端側取付端部をサッシ枠の室外側端部に取り付けるようにしてなる遮蔽体の取付装置。
【請求項２】
建物の窓開口部に設置されるサッシ枠の室外側に面格子などの遮蔽体を取り付けるための遮蔽体取付装置であって、サッシ枠を形成する左右各縦枠の室外側端部に、各縦枠との間に取付用凹溝を形成する凹溝形成部材を固着し、この凹溝形成部材の取付用凹溝には、一端側取付部が遮蔽体の枠部に固着される取付金物の他端側取付端部を前記凹溝の一方の内壁面に接するように挿入し、この挿入した取付金物の他端側取付端部と前記凹溝の他方の内壁面である前記縦枠の外側面との間に金属製のクサビ板をかち込むことによって、取付金物の他端側取付端部をサッシ枠の室外側端部に取り付けるようにしてなる遮蔽体の取付装置。
【請求項３】
前記凹溝形成部材の取付用凹溝には、前記取付金物の他端側取付端部と接する側の内壁面の開口端部側に凸段部が形成されると共に、その奥側端部に凹段部が形成され、これら凸段部と凹段部とに凹凸係合する凹部と凸部とが前記取付金物の他端側取付端部に形成されている請求項１又は２に記載の遮蔽体の取付装置。
【請求項４】
サッシ枠の左右各縦枠の室外側壁に当接される凹溝形成部材の内側部片に、網戸サッシの縦框の嵌合溝を嵌合するための網戸取付用嵌合部片を、内側部片の延長線上に一体に突設してなる請求項１又は３に記載の遮蔽体の取付装置。
【請求項５】
前記取付金物は一つの長尺状取付用ブラケット又は複数の短尺状取付用ブラケットからなる請求項１〜４の何れかに記載の遮蔽体の取付装置。
【請求項６】
前記取付金物はパンチアンカーからなる請求項１〜４の何れかに記載の遮蔽体の取付装置。
【発明の詳細な説明】
【技術分野】
【０００１】
本発明は、建物の窓開口部に設置されるサッシ枠の室外側に、面格子やルーバーなどの遮蔽体を取り付けるための遮蔽体の取付装置に関するものである。
【背景技術】
【０００２】
従来のサッシ枠における遮蔽体の取付装置として、特許公報などの具体的な技術文献を挙げることはできないが、従来より使用されている遮蔽体の取付装置には、図６に示されるようなものがある。即ち、ここに示す取付装置は、一端側取付端部２０ａをビス取付部とし、他端側取付部２０ｂを略Ｕ字状に折曲して挟持部とした取付金物２０からなのもので、建物の窓開口部Ｏに設置されたサッシ枠１を形成する左右各縦枠４の室外側端部に取付金物２０の挟持部２０ｂを嵌め込んで固定すると共に、ビス取付部２０ａを、面格子などの遮蔽体２の左右側枠部にビス２１により取付け固定するようにしたものである。
【０００３】
ところで、サッシ枠の室外側に取り付けられる面格子などの遮蔽体については、特にその取付装置について高い防犯性が必要とされており、そして防犯性の高い取付装置については、「ＣＰマーク」の使用が認められている。なお、ここでいう「ＣＰマーク」のＣＰはcrime prevention（防犯）の略で、ＣＰマークとは、防犯性能の高い建物部品の開発・普及に関する官民合同会議で２００５年に決められた防犯性能試験に合格した建物部品に付けられるマークのことである。
【０００４】
一戸建て住宅やマンションの侵入犯の侵入手口としては、バールやハンマーなどを建物部品に激しく打ち付けて荒っぽく破壊する方法があり、このような方法を行って侵入犯が「侵入に５分以上かかると、侵入犯は侵入をあきらめると」いうデーターにもとづいて、ＣＰマーク認定の防犯性能試験の一つでは、それと同じような方法を行い、５分間で破壊できなければ合格とされ、ＣＰマークが認定されるようになっている。そこで、図６に示すような遮蔽体の取付装置に対し上記防犯性能試験と同様な試験を実施したところ、取付金物２０のサッシ枠側取付端部２０ｂが５分内の短い時間で破壊されてしまい、防犯性能が低いことが分かった。
【発明の概要】
【発明が解決しようとする課題】
【０００５】
本発明は、上記のような課題に鑑み、取付金物のサッシ枠側取付端部が侵入犯によって容易に破壊されることのない、高い防犯性を有する遮蔽体の取付装置を提供することを目的とする。
【課題を解決するための手段】
【０００６】
上記課題を解決するための手段を、後述する実施形態の参照符号を付して説明すると、請求項１に係る発明は、建物の窓開口部Ｏに設置されるサッシ枠１の室外側に面格子などの遮蔽体２を取り付けるための遮蔽体の取付装置であって、サッシ枠１を形成する左右各縦枠４の室外側端部に、取付用凹溝１０を形成した凹溝形成部材４ａを固着し、この凹溝形成部材４ａの取付用凹溝１０には、一端側取付部が遮蔽体９の枠部に固着される取付金物の他端側取付端部を前記凹溝１０の一方の内壁面ａに接するように挿入し、この挿入した取付金物の他端側取付端部と前記凹溝１０の他方の内壁面ｂとの間に金属製のクサビ板１１をかち込むことによって、取付金物の他端側取付端部をサッシ枠１の室外側端部に取り付けるようにしてなることを特徴とする。
【０００７】
請求項２は、建物の窓開口部Ｏに設置されるサッシ枠１の室外側に面格子などの遮蔽体２を取り付けるための遮蔽体の取付装置であって、サッシ枠１を形成する左右各縦枠４の室外側端部に、各縦枠４との間に取付用凹溝１０を形成する凹溝形成部材４ｂを固着し、この凹溝形成部材４ｂの取付用凹溝１０には、一端側取付部が遮蔽体の枠部に固着される取付金物の他端側取付端部を前記凹溝１０の一方の内壁面ａに接するように挿入し、この挿入した取付金物の他端側取付端部と前記凹溝１０の他方の内壁面である前記縦枠４の外側面ｅとの間に金属製のクサビ板１１をかち込むことによって、取付金物の他端側取付端部をサッシ枠１の室外側端部に取り付けるようにしてなることを特徴とする。
【０００８】
請求項３は、請求項１又は２に記載の遮蔽体の取付装置において、前記各縦枠４の取付用凹溝１０には、前記取付金物３の他端側取付部３ｂと接する側の内壁面ａの開口端部側に凸段部１２が形成されると共に、その奥側端部に凹段部１３が形成され、これら凸段部１２と凹段部１３とに凹凸係合する凹部１４と凸部１５とが前記取付金物の他端側取付部に形成されていることを特徴とする。
【０００９】
請求項４は、請求項１又は３に記載の遮蔽体の取付装置において、サッシ枠１の左右各縦枠４の室外側壁３５に当接される凹溝形成部材４ａの内側部片４ａｏに、網戸サッシの縦框の嵌合溝を嵌合するための網戸取付用嵌合部片４９を、内側部片４ａｏの延長線上に一体に突設してなることを特徴とする。
【００１０】
請求項５は、請求項１〜４の何れかに記載の遮蔽体の取付装置において、前記取付金物は一つの長尺状取付用ブラケット３又は複数の短尺状取付用ブラケット３からなることを特徴とする。
【００１１】
請求項６は、請求項１〜４の何れかに記載の遮蔽体の取付装置において、前記取付金物はパンチアンカー１８からなることを特徴とする。
【発明の効果】
【００１２】
上記解決手段による発明の効果を、後述する実施形態の参照符号を付して説明すると、請求項１に係る発明の遮蔽体取付装置によれば、クサビ板１１をかち込むことによって、取付金物のサッシ側取付部は、取付用凹溝１０の一方の内壁面ａに圧接されて、クサビ板１１と共に縦枠４と一体的に堅固に結合されるから、侵入犯によって容易に破壊されることのない高い防犯性を有する。
【００１３】
請求項２に係る発明の遮蔽体取付装置も、請求項１に係る発明と同様に、クサビ板１１をかち込むことによって、取付金物のサッシ側取付部は、取付用凹溝１０の一方の内壁面ａに圧接されて、クサビ板１１と一緒に縦枠４と一体的に堅固に結合されると共に、凹溝１０からの抜け出しを有効に阻止され、それによって侵入犯によって容易に破壊されることのない高い防犯性を有する。
【００１４】
請求項３に係る発明によれば、取付用凹溝１０の内壁面ａの凸段部１２と凹段部１３が、取付金物側の凹部１４と凸部１５とに夫々係合しているため、取付金物のサッシ側取付部が取付用凹溝１０の内壁面ａに食い付いて、きわめて堅固に結合された状態になると共に、凹溝１０からの抜け出しを有効に阻止され、それにより防犯性を一層高めることができる。
【００１５】
請求項４に係る発明によれば、凹溝形成部材４ａの内側部片４ａｏに網戸取付用嵌合部片４９を内側部片４ａｏの延長線上に一体に突設しているため、凹溝形成部材４ａをサッシ縦枠４の室外側端部の内方寄りの位置に固着した場合でも、網戸サッシ４６の縦框４７の嵌合溝４８を網戸取付用嵌合部片４９に嵌合させることにより、網戸サッシ４６を的確に取り付けることができる。
【００１６】
請求項５に係る発明のように、取付金物としては、一つの長尺状取付用ブラケット３を使用してもよいし、複数の短尺状取付用ブラケット３を使用してもよい。
【００１７】
請求項６に係る発明のように、取付金物としては、パンチアンカー１８を使用することができる。
【図面の簡単な説明】
【００１８】
【図１】本発明に係る遮蔽体取付装置を有するサッシ窓全体の横断面図である。
【図２】同サッシ窓全体の縦断面図である。
【図３】(a) は遮蔽体取付装置の拡大断面図、(b) は同遮蔽体取付装置の分解斜視図、(c) は戻り止めのないクサビ板を使用した例を示す(a) と同様な断面図である。
【図４】(a) は取付金物としてパンチアンカーを使用した場合の遮蔽体取付装置を示す拡大横断面図、(b) はパンチアンカーを示す斜視図である。
【図５】(a) は本発明に係る他の遮蔽体取付装置を示す拡大断面図、(b) は同遮蔽体取付装置の分解斜視図、(c) は戻り止めのないクサビ板を使用した例を示す(a) と同様な断面図である。
【図６】図５に示すタイプの遮蔽体取付装置の変形例を示す分解斜視図である。
【図７】図６に示す遮蔽体取付装置の拡大断面図である。
【図８】(a) は図６に示す遮蔽体取付装置の変形例を示す拡大断面図、(b) は凹溝形成部材及びクサビ板を示す斜視図である。
【図９】凹溝形成部材に網戸取付用嵌合部片を設ける場合の遮蔽体取付装置を説明する断面図である。
【図１０】従来の遮蔽体取付装置を有するサッシ窓全体の横断面図である。
【発明を実施するための形態】
【００１９】
以下に本発明の好適な一実施形態を図面に基づき説明すると、図１及び図２において、１は建物の窓開口部Ｏに設置されたサッシ枠で、このアルミ製のサッシ枠１の室外側に、遮蔽体としての可動ルーバー面格子２が、アングル形に形成された複数個の短尺状取付用ブラケット（取付金物）３を含む遮蔽体取付装置によって取り付けられている。サッシ枠１は、左右縦枠４，４と上下横枠５，６とによって枠組み形成され、このサッシ枠１内にガラス障子７，７が引き違い式に嵌装されている。尚、可動ルーバー面格子２は、周枠８内に多数のルーバー９を開閉可能に配設してなるもので、ルーバー９の開閉駆動機構については、その図示及び説明を省略する。
【００２０】
本発明に係る遮蔽体取付装置について説明すれば、この遮蔽体取付装置は、図１及び図２に示すように、サッシ枠１を形成する左右各縦枠４の室外側端部に、取付用凹溝１０を縦枠４の全長にわたって形成した凹溝形成部材４ａを固着し、この凹溝形成部材４aの取付用凹溝１０には、一端側取付部３ａが面格子２（遮蔽体）の周枠８の縦枠部８ａに固着される取付用ブラケット３の他端側取付部３ｂを前記凹溝１０の一方の内壁面ａ（図３の(b) 参照）に接するように挿入し、この挿入した取付用ブラケット３の他端側取付部３ｂと取付用凹溝１０の他方の内壁面ｂ（図３の(b) 参照）との間に鉄製のクサビ板１１をかち込むことによって、取付用ブラケット３の他端側取付部３ｂをサッシ枠１の室外側端部に取り付けるようにしたものである。
【００２１】
サッシ枠１の縦枠４の室外側端部に固着される凹溝形成部材４ａは、図３の(b) から分かるように、取付用凹溝１０の他方の内壁面ｂ側は、その側壁部の両端部が延長されて、取付部２２，２２を形成し、各取付部２２にはビス挿通孔２３が設けてある。また、取付用凹溝１０の両端部には補強壁部２４，２４が一体に形成されている。
【００２２】
また取付用凹溝１０には、取付用ブラケット３の他端側取付部（サッシ側取付部）３ｂと接する側の内壁面ａの開口端部側に凸段部１２が形成されると共に、その奥側端部に凹段部１３が形成され（図３の(a) 参照）、これら凸段部１２と凹段部１３とに凹凸係合する凹部１４と凸部１５が取付用ブラケット３の他端側取付部３ｂに形成されている（図３の(b) 参照）。
【００２３】
このように取付用凹溝１０の内壁面ａの開口端部側に凸段部１２が、その奥側端部に凹段部１３が隣接して形成され、これら凸段部１２と凹段部１３に凹凸係合する凹部１４と凸部１５が取付用ブラケット３の他端側取付部（サッシ側取付部）３ｂに形成されているため、クサビ板１１のかち込みによりブラケット３の他端側取付部３ｂが取付用凹溝１０の内壁面ａに食い付いて取付用凹溝１０内により堅固に固定されることになる。尚、クサビ板１１は、図３の(b) に示すように、片面側に戻り止めｋを複数条設してあるものと、そのような戻り止めｋを有し戻り止めｋを有しないストレート形のものとがあり、何れを使用してもよい。図３の(a) は戻り止めｋを有するクサビ板１１を使用した場合、図３の(c) は戻り止めｋを有しないクサビ板１１を使用した場合を示す。
【００２４】
上記のような構成よりなる遮蔽体取付装置によってサッシ枠１の室外側端部に面格子２を取り付けるには、先ず、サッシ枠１の左右各縦枠４の室外側端部に凹溝形成部材４ａを所要間隔おきに複数個取り付ける。この凹溝形成部材４ａの取付けにあたっては、図３の(a) ，(b) から分かるように、縦枠４の室外側端部に凹溝形成部材４ａを当て付け、取付部２２のビス挿通孔２３よりビス２５（ネジ具）を縦枠４側のネジ孔２７にねじ込んで、縦枠４の室内側よりナット２６を螺合し締結すればよい。尚、ビス２５（ネジ具）の代わりにリベットを使用してもよい。
【００２５】
こうして縦枠４の室外側端部に固着した各凹溝形成部材４ａの取付用凹溝１０内に、各取付用ブラケット３の他端側（サッシ）取付部３ｂを挿入し、その凹部１４と凸部１５を取付用凹溝１０側の凸段部１２と凹段部１３に夫々凹凸係合させた後、この挿入した取付用ブラケット３の他端側取付部３ｂと、凹溝１０の他方の内壁面ｂとの間にクサビ板１１をかち込んで、図３の(a) の仮想線図示及び(b) の実線図示の状態とする。クサビ板１１は、取付用凹溝１０の長さより僅かに短い長さに形成されている。
【００２６】
このクサビ板１１のかち込みによって、ブラケット３の他端側（サッシ側）取付部３ｂは、取付用凹溝１０の一方の内壁面ａに圧接されて、クサビ板１１と共に縦枠４の溝形成枠部４ａと一体的に堅固に結合される。しかもこの時、取付用凹溝１０の内壁面ａの凸段部１２と凹段部１３がブラケット３側の凹部１４と凸部１５とに夫々係合しているため、ブラケット３の他端側取付部３ｂが取付用凹溝１０の内壁面ａに食い付いて、きわめて堅固に結合された状態となると共に、凹溝１０からの抜け出しを有効に阻止される。
【００２７】
サッシ枠１の左右各縦枠４の取付用凹溝１０にクサビ板１１を介して取付用ブラケット３を複数個ずつ取り付けた後、各取付用ブラケット３の一端側取付部３ａを、面格子２の周枠８を形成する縦枠部８ａの室内側側面に対して例えばリベット１７によって固着する（図１及び図２参照）。取付用ブラケット３の一端側取付部３ａには、ボルト又はリベット用の孔１６が設けられている。
【００２８】
上記のような遮蔽体取付装置によって取り付けられた取付用ブラケット３のサッシ側取付部３ｂと縦枠４の室外側端部の凹溝形成部材４ａとの結合部分に対して、前記したＣＰマーク認定の防犯性能試験とほぼ同様な試験を実施したところ、その結合部分をバールで破壊するのに５分以上を要した。
【００２９】
上述した実施形態では、凹溝形成部材４ａは、長さの短いものをも複数個使用するようにしているが、サッシ枠１の縦枠４とほぼ同じ長さを有する１本の凹溝形成部材を使用することもできる。その場合、取付金物として、一つの長尺状取付用ブラケット３からなるものでもよいし、複数個の短尺状のものを使用してもよい。その場合、クサビ板１１は、長尺状取付用ブラケット３とほぼ同じ長さの１本のクサビ板でもよいし、長さの短い複数本のクサビ板を使用してもよい。
【００３０】
図４の(a) は取付金物が(b) に示すようなパンチアンカー１８からなる場合の実施形態を示す。このパンチアンカー１８はステンレス鋼板をプレス加工してアングル形に形成したもので、一端側取付部１８ａが面格子２（遮蔽体）の周枠８の縦枠部８ａに固着され、サッシ枠１側の取付用凹溝１０に挿入される他端側取付部１８ｂは、その先端部が内側に折り曲げられて凸部１５を形成している。１８ｃは補強リブを示す。この図４の(a) では取付金物がパンチアンカー１８からなる点以外は、図３によって説明した前述の遮蔽体取付装置の構造と全く同じである。この図４の(a) では片面側に戻り止めｋをクサビ板１１を使用しているが、戻り止めｋを有しないクサビ板１１を使用してもよい。
【００３１】
図５の(a) は本発明に係る他の遮蔽体取付装置を示す拡大断面図、(b) は同遮蔽体取付装置の分解斜視図である。ここに示す遮蔽体取付装置は、サッシ枠１を形成する左右各縦枠４の室外側端部に、各縦枠４の室外側端部側面ｅとの間に取付用凹溝１０を形成する凹溝形成部材４ｂを係合させてビス（ネジ具）２５で固着し、この凹溝形成部材４ｂにより形成される取付用凹溝１０に、一端側取付部３ａが面格子３（遮蔽体）の枠部に固着される取付用ブラケット３（取付金物）の他端側取付端部３ｂを取付用凹溝１０の一方の内壁面ａに接するように挿入し、この挿入した取付用ブラケット３の他端側取付端部３ｂと、取付用凹溝１０の他方の内壁面である縦枠４の外側面ｅとの間にクサビ板１１をかち込むことによって、取付用ブラケット３（取付金物）の他端側取付端部３ｂをサッシ枠１の室外側端部に取り付けるようにしたものである。
【００３２】
この遮蔽体取付装置の凹溝形成部材４ｂは、図５の(a) ，(b) に示すように、取付用凹溝１０の一方の内壁面ａを形成するＬ字状本体２８と、サッシ枠１の左右各縦枠４の突片部３２に係合する係合部片２９とからなり、Ｌ字状本体２８側にはネジ孔３０が設けられ、また補強部片３１が設けられている。
【００３３】
上記のような構成の遮蔽体取付装置によってサッシ枠１の縦枠４の室外側端部に面格子２を取り付けるには、先ず、サッシ枠１の左右各縦枠４の室外側端部に凹溝形成部材４ｂを所要間隔おきに複数個取り付ける。この凹溝形成部材４ｂの取付けにあたっては、この凹溝形成部材４ｂの係合部片２９を、図３の(a) に示すように縦枠４の室外側端部の突片部３２に係合させた状態で、縦枠４及び突片部３２に設けられているビス挿通孔３３，３４よりビス２５（ネジ具）をＬ字状本体２８側のネジ孔３０にねじ込ん締め付けることにより、この凹溝形成部材４ｂをサッシ縦枠４の室外側端部に固着する。このビス２５（ネジ具）に代えて、リベットを使用してもよい。
【００３４】
こうして縦枠４の室外側端部に凹溝形成部材４ｂを固着することによって、この凹溝形成部材４ｂ内には縦枠４の室外側端部側面ｅとの間に取付用凹溝１０が形成されるから、この取付用凹溝１０内に、取付用ブラケット３の他端側（サッシ）取付部３ｂを挿入し、その凹部１４と凸部１５を取付用凹溝１０側の凸段部１２と凹段部１３に夫々凹凸係合させた後、この挿入した取付用ブラケット３の他端側取付部３ｂと、凹溝１０の他方の内壁面である縦枠４の外側面ｅとの間にクサビ板１１をかち込んで、図５の(a) 示すような状態とする。クサビ板１１は、取付用凹溝１０の長さより僅かに短い長さに形成される。尚、図５の(a) は戻り止めｋを有するクサビ板１１を使用した場合、図５の(c) は戻り止めｋを有しないクサビ板１１を使用した場合を示す。
【００３５】
このクサビ板１１のかち込みに１って、ブラケット３の他端側（サッシ側）取付部３ｂは、取付用凹溝１０の内壁面ａに圧接されて、クサビ板１１とともに凹溝形成部材４ｂと一体的に堅固に結合される。しかもこの時、取付用凹溝１０の内壁面ａの凸段部１２と凹段部１３がブラケット３側の凹部１４と凸部１５とに夫々係合しているため、ブラケット３の他端側取付部３ｂが取付用凹溝１０の内壁面ａに食い付いて、きわめて堅固に結合された状態になると共に、凹溝１０からの抜け出しを有効に阻止される。
【００３６】
サッシ枠１の左右各縦枠４の取付用凹溝１０にクサビ板１１を介して取付用ブラケット３を複数個ずつ取り付けた後、各取付用ブラケット３の一端側取付部３ａを、図１及び図２に示すように、面格子２の周枠８を形成する縦枠部８ａの室内側側面に例えばリベット１７によって固着する（図１及び図２参照）。
【００３７】
この図５に示す遮蔽体取付装置では、凹溝形成部材４ｂは、長さの短いものをも複数個使用するようにしているが、サッシ枠１の縦枠４とほぼ同じ長さを有する１本の凹溝形成部材を使用することもできる。その場合、取付金物として、一つの長尺状取付用ブラケット３からなるものでもよいし、複数個の短尺状のものを使用してもよい。その場合、クサビ板１１は、長尺状取付用ブラケット３とほぼ同じ長さの１本のクサビ板でもよいし、長さの短い複数本のクサビ板を使用してもよい。また、取付用ブラケット３に代えて、図４に示すようなパンチアンカー１８を使用することができる。
【００３８】
図６及び図７は、図５に示すタイプの遮蔽体取付装置の変形例を示す。即ち、この遮蔽体取付装置では、サッシ枠１の左右各縦枠４の室外側端部に、縦枠４の室外側壁３５との間に取付用凹溝１０を形成すると共に複数の取付用差込部片３６を形成した凹溝形成部材４ｂを取り付ける。この凹溝形成部材４ｂの取付けにあたっては、縦枠４の室外側壁３５に差込口３７を縦枠本体４ｏよりも内側位置に複数開口し、これらの差込口３７に凹溝形成部材４ｂの取付用差込部片３６を差し込んで、縦枠４の内側から各差込部片３６のネジ挿通孔３６ａを通じて縦枠本体４ｏのネジ孔３８にネジ具３９をねじ込み、締め付けることによって、凹溝形成部材４ｂを縦枠４の室外側端部に固着する。それから、凹溝形成部材４ｂの取付用凹溝１０に、取付金物としての取付用ブラケット３のサッシ側取付部３ｂを取付用凹溝１０の一方の内壁面ａに接するように挿入し、この挿入した取付用ブラケット３のサッシ側取付部３ｂと取付用凹溝１０の他方の内壁面である縦枠４の室外側壁３５の外側面ｅとの間にクサビ板１１をかち込むことによって、取付用ブラケット３の取付端部３ｂをサッシ枠１の室外側端部に取り付けるようにしたものであり、この取付状態を図７に示す。
【００３９】
図８に例示した遮蔽体取付装置では、サッシ枠１の左右各縦枠４の室外側端部に、縦枠４の室外側壁３５との間に取付用凹溝１０を形成する凹溝形成部材４ｂを取り付けるが、この場合は、(b) に示すような凹溝形成部材４ｂに複数のネジ挿通孔４０を設けておき、この凹溝形成部材４ｂを縦枠４の室外側壁３５の外側面ｅに配置すると共に、室外側壁３５の内側面側に(b) に示すようなナット部材４１を配置して、凹溝形成部材４ｂのネジ挿通孔４０からネジ具４２を、室外側壁３５のネジ挿通孔４４を通じてナット部材４１のネジ孔４１ａにねじ込み、適度に締め付けて、凹溝形成部材４ｂの内壁面ａと室外側壁３５の外側面ｅとの間に取付用凹溝１０を形成した状態とし、この状態で取付金物としての取付用ブラケット３のサッシ側取付部３ｂを取付用凹溝１０の内壁面ａに接するように挿入し、この挿入したブラケット３の取付端部３ｂと室外側壁３５の外側面ｅの間にクサビ板１１をかち込むことによって、取付用ブラケット３の取付端部３ｂをサッシ枠１の室外側端部に取り付けるようにしたもので、その取付状態を(a) に示している。
【００４０】
図９の(a) は、取付用凹溝１０を形成した凹溝形成部材４ａを、サッシ枠１を形成する左右各縦枠４の室外側端部の内方寄りの位置にネジ具４５によって固着し、この凹溝形成部材４ａの取付用凹溝１０に、取付金物のサッシ側取付部３ｂを凹溝１０の一方の内壁面ａに接するように挿入し、このサッシ側取付部３ｂと凹溝１０の他方の内壁面ｂとの間にクサビ板１１をかち込むことによって、取付金物のサッシ側取付部３ｂをサッシ枠１の室外側端部の内方寄りに取り付けるようにしたものであるが、この場合、図示のように網戸サッシ４６をサッシ枠１に取付けるために網戸サッシ４６の縦框４７の嵌合溝４８を各縦枠４の室外側壁３５の内方端部側に嵌め込もうとしても、室外側壁３５の内方端部側には凹溝形成部材４ａが取り付けてあるため嵌め込むことができない。
【００４１】
そこで、図９の(b) に示すように、サッシ縦枠４の室外側壁３５に当接される凹溝形成部材４ａの内側部片４ａｏに網戸取付用嵌合部片４９を、内側部片４ａｏの延長線上に一体に突設すると共に、室外側壁３５を内側から支持する支持部片５０を一体に形成することにより、網戸サッシ４６の縦框４７の嵌合溝４８を網戸取付用嵌合部片４９に嵌め込むことができるようにしている。この場合、凹溝形成部材４ａをサッシ縦枠４の室外側端部に取り付けるには、凹溝形成部材４ａの内側部片４ａｏ及びサッシ縦枠４の室外側壁３５に夫々ネジ具挿通孔(図示省略）を設け、支持部片５０にはネジ孔を設けて、内側部片４ａｏのネジ具挿通孔からネジ孔にネジ具５１をねじ込んで締め付ければよい。このネジ具５１は、凹溝形成部材４ａの外側部片４ｏｏの所要個所に設けた径大のネジ具挿入口５２から挿入する。
【００４２】
図９の(c) は、凹溝形成部材４ａの内側部片４ａｏに網戸取付用嵌合部片４９を、内側部片４ａｏの延長線上に一体に突設しておいて、凹溝形成部材４ａをサッシ縦枠４の室外側端部に取り付ける時に、室外側壁３５を内側から支持する板状ナット５３を室外側壁３５の内側に当て付け、内側部片４ａｏのネジ具挿通孔からサッシ縦枠４の室外側壁３５のネジ具挿通孔に挿通したネジ具５１を板状ナット５３のネジ孔にねじ込んで締め付けることによって凹溝形成部材４ａを取り付けるようにしたものである。
【符号の説明】
【００４３】
１            サッシ枠
２            面格子（遮蔽体）
３            取付用ブラケット（取付金物）
３ａ          取付用ブラケット（取付金物）の一端側取付部
３ｂ          取付用ブラケット（取付金物）の他端側取付部
４            サッシ枠の縦枠
４ａ          凹溝形成部材
４ｂ          凹溝形成部材
１０          取付用凹溝
１１          クサビ板
１２          凸段部
１３          凹段部
１４          凹部
１５          凸部
１８          パンチアンカー
【図１】
2010261210.tif 000003
【図２】
2010261210.tif 000004
【図３】
2010261210.tif 000005
【図４】
2010261210.tif 000006
【図５】
2010261210.tif 000007
【図６】
2010261210.tif 000008
【図７】
2010261210.tif 000009
【図８】
2010261210.tif 000010
【図９】
2010261210.tif 000011
【図１０】
2010261210.tif 000012